(57)【要約】【課題】  本発明は、移動通信用携帯端末機を構成するものの、フロントケースとリアケースを光の照射方向及び光量によって反射される色相が可変されるようにすることによってすべての年齢層の消費者に新鮮な好奇心を提供しようとすることにあり、ひいては販売者の立場では該製品優先選択の効果を高めて、ユーザーの立場では製品に対する愛着心を高めて長期間用いても嫌気がささないようにする。【解決手段】  本発明の特徴的な構成はフロントケース２１とリアケース２２を含む本体ケース２０と、その内部に内蔵された電子部品と、本体ケースの一側にアンテナを有した携帯用端末機において、フロントケース２１及びリアケース２２は光の作用で分子構造に変化が起きて表面に現れる色相が可変されるようにする感光性樹脂材で製造したものである。【選択図】  図２
2005027324.tif 000002
【特許請求の範囲】
【請求項１】
フロントケース２１とリアケース２２を含む本体ケース２０と、その内部に内蔵された電子部品と、前記本体ケースの一側にアンテナを有した携帯用端末機において、
前記したフロントケース２１及びリアケース２２はそのそれぞれの露出部分全部または一部分を光の作用で分子構造に変化が起きて表面に現れる色相が可変されるようにする感光性樹脂材で製造したことを特徴とする携帯用端末機。
【請求項２】
前記フロントケース２１は露出部分で装飾部２３を形成した後、前記装飾部２３の色相を前記フロントケース２１の色相と相異なる色相の感光性樹脂材で製造することを特徴とする請求項１に記載の携帯用端末機。
【請求項３】
フロントケース２１とリアケース２２を含む本体ケース２０と、その内部に内蔵された電子部品と、前記本体ケースの一側にアンテナを有した携帯用端末機において、
前記したフロントケース２１及びリアケース２２はそのそれぞれの露出部分全部または一部分を光の作用で分子構造に変化が起きて表面に現れる色相が可変されるように感光性樹脂材で塗布層２４を形成して製造したことを特徴とする携帯用端末機。
【発明の詳細な説明】
【技術分野】
【０００１】
本発明は携帯用端末機に対することであって、さらに詳細には端末機本体ケースが光の照射方向によって反射される色相が随時に可変されて見る人に端末機外観がさらに美しく見えるようにすることに特徴があり、ひいては製品の商品性を高めることができるようにすることに特徴がある。
【背景技術】
【０００２】
一般に移動通信手段のうち一つである携帯用端末機は老若男女を問わず既に広く知られた通信機器の一つであり、近来にはその機能性向上はもちろん各年齢層の多様な嗜好に合うように外観デザインが改善された独特の形態の端末機が多く紹介されている。
【０００３】
特に、１０代から２０〜３０代の若い層ではよりもっとシンプルで独特で個性的な製品を要求しているため色々な色相の端末機はもちろん色々な目新しい形態の端末機が生産／出荷されている。
【０００４】
しかし従来のいろいろな携帯用端末機は大部分本体やカバー、キーボタン、液晶画面などの部分を改良することにおいて、形態と単色的な色相でだけ開発されてきただけ、色相が光の照射方向によって多様に可変されるタイプは開発できなかった。
【０００５】
すなわち、図１で見るように携帯用端末機は本体ケース１０、そしてこのケースの内部に備わる電子部品、前記ケース１０の一側に突出するアンテナ１３で構成される。
【０００６】
そして本体ケース１０は図２で見るようにフロントケース１１とリアケース１２で構成され、フロントケース１１には液晶画面部１４とキーボタン部１５を、リアケース１２にはバッテリー組立部１６を有する。
【０００７】
前記のような従来の本体ケース１０は大部分フロントケース１１の色相を明るくて原色的な色相にする程度が普通であるため目新しい神秘感で視線を引くのが難しく、ユーザーからはまもなく嫌気が誘発されて持続的に保有しようとする愛着心を長期間維持するのが難しかった。
【発明の開示】
【発明が解決しようとする課題】
【０００８】
したがって本発明は前記のような従来の問題点を改善しようと案出することであって、発明の主な目的は移動通信用携帯端末機を構成するものの、フロントケースとリアケースを光の照射方向及び光量によって反射される色相が可変されるようにすることによってすべての年齢層の消費者に新鮮な好奇心を提供しようとすることにあり、ひいては販売者の立場では該製品優先選択の効果を高めて、ユーザーの立場では製品に対する愛着心を高めて長期間用いても嫌気がささないようにすることにある。
【課題を解決するための手段】
【０００９】
前記目的を達成するための本発明の特徴的な構成はフロントケースとリアケースを含む本体ケースと、その内部に内蔵された電子部品と、前記本体ケースの一側にアンテナを有した携帯用端末機において、前記したフロントケース及びリアケースは光の作用で分子構造に変化が起きて表面に現れる色相が可変されるようにする感光性樹脂材で製造したものである。
【発明の効果】
【００１０】
上で詳細に説明したような本発明の端末機はフロントケースとリアケースを製造する時、光の照射方向及び光量によって反射される色相が可変されるように化学変化する感光性樹脂材でなっているため蛍光明かり及び太陽光で多様な色相に表出するため目を引くことができる。
【００１１】
したがって、販売者の立場では商品性が高いため販売に有利であり、ユーザーの立場では個性表現が可能になって、製品に対する愛着心が大きくなるため長期間用いても嫌気がささなくて長く用いることができる長所がある。
【発明を実施するための最良の形態】
【００１２】
以下本発明の特徴的な構成を添付図面によって詳細に説明する。
【００１３】
まず、図２は本発明の端末機を見せた斜視図であって、図３は本発明の端末機ケースを見せた斜視図である。
【００１４】
近来の携帯用端末機はボタン部が露出しているタイプと、ボタン部を一部覆いで覆うフリップタイプと、液晶部及び本体部を相互に折り畳んで開閉するフォルダータイプがある。
【００１５】
いかなるタイプでも本体ケース２０はフロントケース２１とリアケース２２で構成され、例外的にフォルダータイプの場合液晶部及び本体部がそれぞれのフロントケースとリアケースを有すると見ることができる。
【００１６】
本発明では本体ケース２０のフロントケース２１とリアケース２２において、そとに露出する一部分または全体部分を光の作用で分子構造に変化が起きて表面に現れる色相が可変されるようにする感光性樹脂材で製造することが特徴である。
【００１７】
そして前記フロントケース２１の場合には露出部分のうちから審美感を加えることができる装飾部２３を形成した後、前記装飾部２３の色相を前記フロントケース２１の基本的な色相と相異なる色相の感光性樹脂材で製造することができる。
【００１８】
また、場合によっては図３で見るように前記したフロントケース２１及びリアケース２２の露出部分全部または一部分を感光性樹脂材で塗布する感光性樹脂材塗布層２４を用意することもできる。
【００１９】
参考に感光性樹脂材（ＳＰＲ）は光を受けた時、特定反応（例えば架橋反應・着色分解などの変化）を起こす感光性高分子で構成された合成樹脂（一名フォトポリマー）であり、ジアゾ樹脂、アジ化物樹脂、ポリ軽被膜ビニル、アクリル酸樹脂、ポリアミド、ポリエステル系などがある。
【００２０】
こういう化学化合物は溶液または固体状態の色彩で紫外線を照射すれば化学構造が変化し、その変化によって吸収スペクトラムを異にするため反射される色彩が随時に変わることであり、光を遮断すれば即時最初の状態に還元する特性を有している。
【産業上の利用可能性】
【００２１】
本発明は端末機本体ケースが光の照射方向によって反射される色相が随時に可変されて見る人に端末機外観がさらに美しく見えるようにすることに特徴があることであって、蛍光明かり及び太陽光で多様な色相に表出されるため商品性が高い。
【図面の簡単な説明】
【００２２】
【図１】一般的な携帯用端末機を見せた斜視図。
【図２】本発明の携帯用端末機ケースを見せた斜視図。
【図３】本発明の携帯用端末機ケースを見せた部分断面図。
【図４】本発明のまた他の実施形態の構成を見せた断面図。
【符号の説明】
【００２３】
２０      本体ケース
２１      フロントケース
２２      リアケース
２３      装飾部
２４      塗布層
【図１】
2005027324.tif 000003
【図２】
2005027324.tif 000004
【図３】
2005027324.tif 000005
【図４】
2005027324.tif 000006